(57)【要約】【課題】比較的安価で、ユーザーの操作が簡単であり、検査に必要な量の血漿又は血清を所定期間確保することのできる血液分離シリンダーを提供する。【解決手段】本発明は、血液分離膜を有する血液分離シリンダーにおいて、血液分離膜によって分離された血球及び細胞成分と血漿又は血清とを隔離するゴム製または軟質エラストマー製の内栓を、樹脂製の血液分離シリンダー本体の先端に設け、血液分離膜が当該内栓に近接するように血液分離膜ホルダーを血液分離シリンダー本体の先端に取り付けてなる血液分離シリンダーである。【選択図】図１
2010261932.tif 000002
【特許請求の範囲】
【請求項１】
血液分離膜を有する血液分離シリンダーにおいて、
血液分離膜によって分離された血球及び細胞成分と血漿又は血清とを隔離するゴム製または軟質エラストマー製の内栓を、樹脂製の血液分離シリンダー本体の先端に設け、血液分離膜が当該内栓に近接するように血液分離膜ホルダーを血液分離シリンダー本体の先端に取り付けてなる血液分離シリンダー。
【請求項２】
内栓に逆止弁を設けて、分離された血漿又は血清のみが逆止弁を通過して隔離されることを特徴とする請求項１に記載の血液分離シリンダー。
【請求項３】
内栓を血液分離シリンダー本体用の金型の所定の位置に配置し、その後に、溶融樹脂を金型に加圧射出し、次に冷却する、移植射出成形法によって、一体成形して、内栓が樹脂製の血液分離シリンダー本体の先端に設けられることを特徴とする請求項１または２に記載の血液分離シリンダー。
【請求項４】
圧着して、内栓が血液分離シリンダー本体用の先端に設けられることを特徴とする請求項１または２に記載の血液分離シリンダー。
【請求項５】
血液分離シリンダー本体の後端にボトルキャップねじを一体に取り付け、当該ボトルキャップねじをボトルのねじにねじ止めすることによって、血液分離シリンダーを一定の押圧力で一定の位置までボトルに押し込むことができる、請求項１から４までのいずれか１つに記載の血液分離シリンダー。
【発明の詳細な説明】
【技術分野】
【０００１】
本発明は血液分離シリンダーに関する。特に、血液検査のため、個人が採取した血液を所定のボトル中に収納した後に、血球及び細胞成分と血漿又は血清に分離するのに用いる血液分離シリンダーに関する。
【背景技術】
【０００２】
図５は従来の血液分離シリンダーの正面概略図である。従来の血液分離シリンダー１は、ボトルの内壁に密着して挿入される形状を有し、血液分離膜を備えたガスケット４を、先端部に設けてある。そして、所定のボトル中に血液が収納された状態で、上方からボトルの開口部を通して血液分離シリンダー１を挿入し、下方へ押圧する。すると、収納されている血液は、血液分離シリンダー１の先端部に設けられた血液分離膜によって、血球及び細胞成分と血漿又は血清に分離されて、血球及び細胞成分は血液分離膜の中または、その下方に残り、他方、血漿又は血清は血液分離膜より上方に移動し、血液分離シリンダーの内部に浮上する。しかしながら、この状態を放置すると、分離された血漿又は血清が下方へ戻ろうとし、時間が経過すると、血液分離シリンダー内部の血漿又は血清の量が減少してしまう。
【０００３】
したがって、分離後直ちに血球及び細胞成分と血漿又は血清を隔離しなければならない。隔離するために、従来は、円板状のゴム製またはエラストマー製の内栓５１を先端に設けた内栓押圧棒５を血液分離シリンダー１の開口部を通して、ユーザーが手で挿入し、内栓を血液分離膜の上部まで押し込んで血球及び細胞成分と血漿又は血清とを隔離しようとしていた。
【発明の概要】
【発明が解決しようとする課題】
【０００４】
しかしながら、内栓押圧棒５をユーザーが手で押し込むと、血液分離シリンダー１自体もボトルへ押し込む結果となり、血液分離シリンダー１の下部とボトルの間に残留している血液に過大な圧力が加わり、血液分離膜がはずれたり、破損したりしてしまう。すると、一時分離された血漿又は血清が流動して血漿と混合してしまい、いわゆる「客血」してしまい、正確な血液検査ができないという問題が生ずる。
【０００５】
また、血液分離シリンダー１がボトルの所定の位置まで押し込まれていても、血液分離シリンダー１の開口を通して内栓押圧棒５を所定の位置まで押し込むと、その先端の内栓５１によって、血液分離シリンダー１の内部に分離されてある血漿又は血清の一部が、ガスケット４へ押し戻されてしまう。すると、血液検査に用いる血漿又は血清の量が不足してしまい、正確な血液検査ができないという問題が生ずる。
【０００６】
また、内栓押圧棒５を各ユーザーが手で押圧するため、押圧に個人差が生じ、押圧が不十分となり、血液分離膜より上方に集められる血漿又は血清の量が不足し、測定に必要な検体が確保できないという問題が発生する。
【課題を解決するための手段】
【０００７】
上記した目的を達成するため、本発明は、血液分離膜を有する血液分離シリンダーにおいて、血液分離膜によって分離された血球及び細胞成分と血漿又は血清とを隔離するゴム製または軟質エラストマー製の内栓を、樹脂製の血液分離シリンダー本体の先端に設け、血液分離膜が当該内栓に近接するように血液分離膜ホルダーを血液分離シリンダー本体の先端に取り付けてなることを特徴とする。
【０００８】
また、本発明に係る血液分離シリンダーは、内栓に逆止弁を設けて、分離された血漿又は血清のみが逆止弁を通過して隔離されることを特徴とする。
【０００９】
さらに、本発明に係る血液分離シリンダーは、内栓を血液分離シリンダー本体用の金型の所定の位置に配置し、その後に、溶融樹脂を金型に加圧射出し、次に冷却する、移植射出成形法によって、一体成形して、内栓が樹脂製の血液分離シリンダー本体の先端に設けられることを特徴とする。
【００１０】
さらに、本発明に係る血液分離シリンダーは、圧着して、内栓が血液分離シリンダー本体用の先端に設けられることを特徴とする。
【００１１】
さらに、本発明に係る血液分離シリンダーは、血液分離シリンダー本体の後端にボトルキャップねじを一体に取り付け、当該ボトルキャップねじをボトルのねじにねじ止めすることによって、血液分離シリンダーを一定の押圧力で一定の位置までボトルに押し込むことができることを特徴とする。
【発明の効果】
【００１２】
本発明の血液分離シリンダーは、比較的安価であるとともに、ユーザーの操作が簡単であり、個人差がほとんど生じることなしに、検査に必要な量の血漿又は血清が所定期間確保されるという効果が得られる。
【００１３】
また、この血液分離シリンダーを用いれば、血液検査用の血漿又は血清を、ユーザー自身が自宅等で場所を選ばず、簡単に採取することができる。したがって、多数回の血液検査を行うことを助け、可能とすることができる。
【図面の簡単な説明】
【００１４】
【図１】本発明の血液分離シリンダーに用いられる内栓の実施形態を表わし、（ａ）はその平面図、（ｂ）は正面図、（ｃ）は底面図である。
【図２】本発明の血液分離シリンダーに用いられるホルダーを表わし、（ａ）はその平面図、（ｂ）はその正面図である。
【図３】本発明の血液分離シリンダーに用いられるガスケットを表わし、（ａ）はその正面図、（ｂ）はその平面図である。
【図４】本発明の血液分離シリンダーの実施形態の正面図である。
【図５】従来の血液分離シリンダーの正面概略図である。
【図６】他の実施形態の血液分離シリンダーの正面図である。
【発明を実施するための形態】
【００１５】
本発明の好ましい実施形態について、添付図面を参照して、詳細に説明する。
【００１６】
図１は本発明の血液分離シリンダーに用いられる内栓の実施形態を表わし、（ａ）はその平面図、（ｂ）は正面図、（ｃ）は底面図である。截頭円錐形を倒立させ、中央に円柱状空間２４を設けた形状のエラストマー部材の底部（小円部）に押圧板２２を設け、この押圧板２２の上に逆止弁２１を設けて、内栓２が構成されている。
【００１７】
この逆止弁２１によって、下から上へ向かう液流を通すが、逆に上から下へ向かう液流を遮断する。
【００１８】
図４は本発明の血液分離シリンダーの実施形態の正面図である。
【００１９】
血液分離シリンダー１の先端に内栓２が位置している。血液分離シリンダー１は透明樹脂製であり、金型中に溶融樹脂を加圧注入した後に冷却固化する射出成形法によって製造されることが多い。射出成形法において、金型内の所定の位置に予め内栓２を配置した後に、溶融樹脂を加圧注入する、移植射出成形法によって一体的に成形されていてもよい。
【００２０】
あるいは、内栓２を血液分離シリンダー１の先端に圧着して取り付けてもよい。
【００２１】
内栓２のさらに先には、血液分離膜ホルダー３を内蔵したガスケット４が取り付けられている。
【００２２】
図６は他の実施形態の血液分離シリンダーの正面図である。血液分離シリンダー１の後端にはボトルキャップねじ６が一体に取り付けてあり、ボトルキャップねじ６はねじ締めしやすいように外形がラグビーボール状になっているので、ユーザーが容易に指で掴み回転させることができる。また、ボトルキャップねじ６の内面にはねじ６２がきってあり、ボトルの上部外面に設けられているねじと螺合する。
【００２３】
図２は本発明の血液分離シリンダーに用いられる血液分離ホルダー３を表わし、（ａ）はその平面図、（ｂ）はその正面図である。円筒状の樹脂製のボディ３１の上部に血液分離膜３２が配置されるとともに、ボディ３１の中央部にも血液分離膜３４が充填されている。
【００２４】
図３は、本発明の血液分離シリンダーに用いられるガスケット４を表わし、（ａ）はその正面図、（ｂ）はその平面図である。ガスケット４の底板４２には４個の円形貫通孔４２ａが設けてある。
【００２５】
本発明の血液分離シリンダーは、上記の構造のため、比較的安価であるとともに、ユーザーの操作が簡単であり、個人差がほとんど生じることなしに、検査に必要な量の血清が所定期間確保されるという効果が得られる。
【００２６】
この血液分離シリンダーを用いれば、血液検査用の血清を、ユーザー自身が自宅等で場所を選ばず、簡単に採取することができる。したがって、多数回の血液検査を行うことを助け、可能とすることができる。
【符号の説明】
【００２７】
１      血液分離シリンダー
２      内栓
２１    逆止弁
２２    押圧板
２４    円柱状空間
３      血液分離膜ホルダー
３１    ボディ
３２    血液分離膜
３４    血液分離膜
４      ガスケット
４２    底板
４２ａ  円形貴通孔
５      内栓押圧棒
５１    内栓
６      ボトルキャップねじ
６２    ねじ
【図１】
2010261932.tif 000003
【図２】
2010261932.tif 000004
【図３】
2010261932.tif 000005
【図４】
2010261932.tif 000006
【図５】
2010261932.tif 000007
【図６】
2010261932.tif 000008